【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
測定および／または他の接触試験に適した接触デバイスであって、該デバイスは、
−その第１の端部に広がり部分（２８、２９、６５、８５、１０１、１３６）を有するプランジャー（１４、３６、６４、８４、１００、１０８、１３４）、およびプランジャー（１４、３６、６４、８４、１００、１０８、１３４）の第２の端部（３０、４０、１０３、１１０）にあるヘッド要素（１６、３２、４２、５２、６６、８６、１０２、１０４、１２０、１４０）を含むヘッドユニットを含み、
前記デバイスはさらに、
−第３の端部および第３の端部の反対側の第４の端部を有するチューブ要素（１０、６０、８０、１３２）であって、第３の端部でプランジャー（１４、３６、６４、８４、１００、１０８、１３４）の広がり部分（２８、２９、６５、８５、１０１、１３６）を受けとめ、および第３の端部に配置された内側突出フランジ部分（１８、６８、８８）によって、第４の端部を介してチューブ要素（１０、６０、８０、１３２）の内側空間に導入されるプランジャー（１４、３６、６４、８４、１００、１０８、１３４）の広がり部分（２８、２９、６５、８５、１０１、１３６）を内側空間に保持する、チューブ要素、
−第４の端部を介してチューブ要素（１０、６０、８０、１３２）の内側空間に導入され、チューブ要素（１０、６０、８０、１３２）の内側空間に配置され、および広がり部分（２８、２９、６５、８５、１０１、１３６）の端部部分とチューブ要素（１０、６０、８０、１３２）の閉じた第４の端部に対して支持される、弾性要素（２０、９０、１４８）、
を含み、およびプランジャー（１４、３６、６４、８４、１００、１０８、１３４）の第２の端部は、広がり部分（２８、２９、６５、８５、１０１、１３６）がフランジ部分（１８、６８、８８）に接している場合にチューブ要素（１０、６０、８０、１３２）から外に突出し、ヘッド要素（１６、３２、４２、５２、６６、８６、１０２、１０４、１２０、１４０）は、チューブ要素（１０、６０、８０、１３２）から外に突出するプランジャー（１４、３６、６４、８４、１００、１０８、１３４）の第２の端部へと焼きばめまたは圧入によって連結されることを特徴とする、接触デバイス。
【請求項２】
焼きばめまたは圧入によってヘッド要素（１６、３２、４２、５２、６６、８６、１０２、１０４、１２０、１４０）とプランジャー（１４、３６、６４、８４、１００、１０８、１３４）を互いに連結するための、プランジャー（１４、３６、６４、８４、１００、１０８、１３４）とヘッド要素（１６、３２、４２、５２、６６、８６、１０２、１０４、１２０、１４０）の１つに配置された連結要素（１０６）、およびプランジャー（１４、３６、６４、８４、１００、１０８、１３４）とヘッド要素（１６、３２、４２、５２、６６、８６、１０２、１０４、１２０、１４０）の他方に配置され、かつ連結要素（１０６）への連結に適した連結穴（２４、３４、４４、１０７）、を含むことを特徴とする、請求項１に記載の接触デバイス。
【請求項３】
連結要素（１０６）は、焼きばめまたは圧入によって連結される前に、連結穴（２４、１０７）よりも大きな断面を有することを特徴とする、請求項２に記載の接触デバイス。
【請求項４】
連結要素の側壁と連結穴（３４、４４）は、円錐形または円錐台状であり、連結要素と連結穴（３４、４４）の半円錐角は１．５°より小さく、およびヘッド要素（３２、４２）とプランジャー（３６）は圧入によって互いに連結されることを特徴とする、請求項２に記載の接触デバイス。
【請求項５】
ヘッド要素（１６、３２、４２、５２、６６、８６、１０２、１０４、１２０、１４０）がパラジウム合金で作られ、およびプランジャー（１４、３６、６４、８４、１００、１０８、１３４）が、パラジウム合金とは異なる物質で作られることを特徴とする、請求項１−４のいずれか１つに記載の接触デバイス。
【請求項６】
弾性要素（２０、９０、１４８）は、接触要素（９４、１５２）および追加の弾性要素（９６、１５６）を介してチューブ要素（８０、１３２）の閉じた第４の端部に対して支持されることを特徴とする、請求項１−５のいずれか１つに記載の接触デバイス。
【請求項７】
接触デバイスを製造する方法であって、該方法は、
−焼きばめまたは圧入により、その第１の端部に広がり部分（２８、２９、６５、８５、１０１、１３６）を有するプランジャー（１４、３６、６４、８４、１００、１０８、１３４）の第２の端部とヘッド要素（１６、３２、４２、５２、６６、８６、１０２、１０４、１２０、１４０）を互いに連結することによって、ヘッドユニットを製造する工程であって、プランジャー（１４、３６、６４、８４、１００、１０８、１３４）の第２の端部は、広がり部分（２８、２９、６５、８５、１０１、１３６）がフランジ部分（１８、６８、８８）に接している場合にチューブ要素（１０、６０、８０、１３２）から外に突出する、工程、および、
−接触デバイスを製造する工程であって、接触デバイスは、第３の端部および第３の端部の反対側の第４の端部を有し、第３の端部でプランジャー（１４、３６、６４、８４、１００、１０８、１３４）の広がり部分（２８、２９、６５、８５、１０１、１３６）を受けとめ、および第３の端部に配置された内側突出フランジ部分（１８、６８、８８）により内側空間に広がり部分（２８、２９、６５、８５、１０１、１３６）を保持する、チューブ要素（１０、６０、８０、１３２）、およびチューブ要素（１０、６０、８０、１３２）の内側空間に配置され、広がり部分（２８、２９、６５、８５、１０１、１３６）の端部部分とチューブ要素（１０、６０、８０、１３２）の閉じた第４の端部に対して支持される弾性要素（２０、９０、１４８）を含み、その結果、ヘッドユニットの製造は、プランジャー（１４、３６、６４、８４、１００、１０８、１３４）がチューブ要素（１０、６０、８０、１３２）に導入された後または前に行われる、工程、
を含み、
プランジャー（１４、３６、６４、８４、１００、１０８、１３４）とヘッド要素（１６、３２、４２、５２、６６、８６、１０２、１０４、１２０、１４０）を互いに連結する前に、プランジャー（１４、３６、６４、８４、１００、１０８、１３４）は、第４の端部を介してチューブ要素（１０、６０、８０、１３２）の内側空間に導入され、
次に、プランジャー（１４、３６、６４、８４、１００、１０８、１３４）とヘッド要素（１６、３２、４２、５２、６６、８６、１０２、１０４、１２０、１４０）を互いに連結した後に、弾性要素（２０、９０、１４８）は、チューブ要素（１０、６０、８０、１３２）の第４の端部を介してプランジャー（１４、３６、６４、８４、１００、１０８、１３４）の広がり部分（２８、２９、６５、８５、１０１、１３６）に導入され、
チューブ要素（１０、６０、８０、１３２）の第４の端部はプラグ要素（１２、６２、８２、１６２）により閉じられ、プラグ要素（１２、６２、８２、１６２）を有する弾性要素（２０、９０、１４８）を付勢する、方法。
【請求項８】
焼きばめによってヘッド要素（１６、５２、６６、８６、１０２、１０４、１２０、１４０）とプランジャー（１４、６４、８４、１００、１０８、１３４）を互いに連結する工程であって、ヘッド要素（１６、５２、６６、８６、１０２、１０４、１２０、１４０）とプランジャー（１４、６４、８４、１００、１０８、１３４）を焼きばめによって互いに連結するために、連結要素（１０６）は、プランジャー（１４、６４、８４、１００、１０８、１３４）とヘッド要素（１６、５２、６６、８６、１０２、１０４、１２０、１４０）の１つに配置され、および連結要素（１０６）へと連結するのに適した連結穴（２４、１０７）は、プランジャー（１４、６４、８４、１００、１０８、１３４）とヘッド要素（１６、５２、６６、８６、１０２、１０４、１２０、１４０）の他方に配置され、および連結要素（１０６）は、連結穴（２４、１０７）よりも大きな断面を有する、工程、
焼きばめによる連結の過程で、
−連結要素（１０６）を連結穴（２４、１０７）に導入できる程度に拡張するまで連結穴（２４、１０７）を加熱する工程、および、
−連結要素（１０６）を連結穴（２４、１０７）に導入する工程、
を特徴とする、請求項７に記載の方法。
【請求項９】
連結穴（２４、１０７）の加熱と同時に連結要素（１０６）を冷却することを特徴とする、請求項８に記載の方法。
【請求項１０】
圧入によってヘッド要素（１６、５２、６６、８６、１０２、１０４、１２０、１４０）とプランジャー（１４、６４、８４、１００、１０８、１３４）を互いに連結する工程であって、ヘッド要素（１６、５２、６６、８６、１０２、１０４、１２０、１４０）とプランジャー（１４、６４、８４、１００、１０８、１３４）を圧入によって互いに連結するために、連結要素（１０６）は、プランジャー（１４、６４、８４、１００、１０８、１３４）とヘッド要素（１６、５２、６６、８６、１０２、１０４、１２０、１４０）の１つに配置され、および連結要素（１０６）へと連結するのに適した連結穴（２４、１０７）は、プランジャー（１４、６４、８４、１００、１０８、１３４）とヘッド要素（１６、５２、６６、８６、１０２、１０４、１２０、１４０）の他方に配置され、および連結要素（１０６）は連結穴（２４、１０７）よりも大きな断面を有する、工程を特徴とする、請求項７に記載の方法。
【請求項１１】
ヘッド要素（３２、４２）とプランジャー（３６）を圧入により互いに連結するために、連結要素はプランジャー（３６）とヘッド要素（３２、４２）の１つに配置され、および連結要素（１０６）へと連結するのに適した連結穴（３４、４４）は、プランジャー（３６）とヘッド要素（３２、４２）の他方に配置され、連結要素の側壁と連結穴（３４、４４）は、円錐形または円錐台状であり、および連結要素と連結穴（３４、４４）の半円錐角は１．５°より小さく、ヘッド要素（３２、４２）とプランジャー（３６）は圧入によって互いに連結されることを特徴とする、請求項７に記載の方法。
【請求項１２】
連結要素はプランジャー（１４、３６、６４、８４、１００、１０８、１３４）の第２の端部（１３５）によって形成され、および連結穴（２４、３４、４４）はヘッド要素（１６、３２、４２、５２、６６、８６、１０２、１０４、１２０、１４０）に形成され、
−チューブ要素（１０、６０、８０、１３２）にプランジャー（１４、３６、６４、８４、１００、１０８、１３４）を導入した後に、プランジャー（１４、３６、６４、８４、１００、１０８、１３４）の第２の端部（３０、４０、１０３、１１０）は、ヘッド要素（１６、３２、４２、５２、６６、８６、１０２、１０４、１２０、１４０）の連結穴（２４、３４、４４）上に向けられ、
−ヘッド要素（１６、３２、４２、５２、６６、８６、１０２、１０４、１２０、１４０）を支持しながら、および、プラグ要素（１２、６２、８２、１６２）によって第４の端部を閉じる前に、チューブ要素（１０、６０、８０、１３２）の第４の端部を介してプレス力発生要素（１４６）を導入しながら、ヘッド要素（１６、３２、４２、５２、６６、８６、１０２、１０４、１２０、１４０）は、プレス力発生要素（１４６）により、プランジャー（１４、３６、６４、８４、１００、１０８、１３４）の第２の端部（３０、４０、１０３、１１０）に圧入によって連結される、
ことを特徴とする、請求項１０に記載の方法。
【請求項１３】
ヘッド要素（１６、３２、４２、５２、６６、８６、１０２、１０４、１２０、１４０）を支持する、力測定装置（１４４）を用いて圧入中にプレス力を測定することを特徴とする、請求項１２に記載の方法。
【請求項１４】
溝（５６、１６３）を有するプラグ要素（１２、６２、８２、１６２）を使用し、およびプラグ要素（１２、６２、８２、１６２）でチューブ要素（１０、６０、８０、１３２）を閉じている間に、ローラー（１６０）によって誘導される少なくとも１つのプレス要素（１５８）により溝（５６、１６３）へとチューブ要素（１０、６０、８０、１３２）の壁を押し入れることを特徴とする、請求項７に記載の方法。
【請求項１５】
第４の端部が上向きになるように、チューブ要素（１０、６０、８０、１３２）の第３の端部で開いている支持要素（１３０）によって、チューブ要素（１０、６０、８０、１３２）を保持し、および落下により供給端を通じてチューブ要素（１０、６０、８０、１３２）にプランジャー（１６、３２、４２、５２、６６、８６、１０２、１０４、１２０、１４０）、弾性要素（２０、１４８）、およびプラグ要素（１２、６２、８２、１６２）を供給することを特徴とする、請求項７または１４に記載の方法。
【請求項１６】
その展開状態でそこから接触デバイスが落とされるのを可能にするのに適した展開可能な支持要素（１３０）を使用し、およびプラグ要素（１２、６２、８２、１６２）によりチューブ要素（１０、６０、８０、１３２）を閉じた後に支持要素（１３０）を展開することによって支持要素（１３０）から接触デバイスを落とすことを特徴とする、請求項１５に記載の方法。
【請求項１７】
パラジウム合金で作られたヘッド要素（１６、３２、４２、５２、６６、８６、１０２、１０４、１２０、１４０）、およびパラジウム合金とは異なる物質で作られたプランジャー（１４、３６、６４、８４、１００、１０８、１３４）を適用することを特徴とする、請求項７−１６のいずれか１つに記載の方法。
【手続補正２】
【補正対象書類名】明細書
【補正対象項目名】００１３
【補正方法】変更
【補正の内容】
【００１３】
他の既知の接触プローブ（接触デバイス）は、ＵＳ４，７８７，８６１、ＵＳ５，００４，９７７、ＵＳ５，０４５，７８０、ＵＳ２００３／０１３４５２６Ａ１、ＵＳ２００７／０１８６６６Ａ１、ＵＳ２００９／２４３６４０Ａ１、ＵＳ２０１６／１８７３８２Ａ１、ＵＳ２００８／０１２２４６４Ａ１、ＤＥ２６  ５７  ０１６Ａ１、ＤＥ３３  ４０４３１Ａ１、ＤＥ４０  ４０  ３１２Ａ１、ＤＥ８４  １７  ７４６Ｕ１、ＪＰ  Ｈ０６  ８０１７９Ｕ、ＪＰ２００２２０２３２３Ａ２、ＪＰ２０１００８５２９２Ａに開示される。
【手続補正３】
【補正対象書類名】明細書
【補正対象項目名】００１７
【補正方法】変更
【補正の内容】
【００１７】
本発明のさらなる目的は、比較的少量で接触デバイスとヘッドユニットを製造するために、利用可能な物質の範囲を広げ、かつ既知の解決法と比較してそれをより経済的なものにすることである。本発明の目的は、請求項１に記載の接触デバイス、および請求項７に記載の接触デバイスを製造する方法によって達成することができる。本発明の好ましい実施形態は従属クレームにおいて定義されている。
【手続補正４】
【補正対象書類名】明細書
【補正対象項目名】０１０１
【補正方法】変更
【補正の内容】
【０１０１】
本実施形態において、接触デバイス（本実施形態ではスイッチングデバイス（１７２））が展開されていない状態でそこから落とされるのを可能にするのに適した、好ましくは展開可能な（開放可能な）支持要素（１３０）が利用されることが、図３３に例示される。接触デバイスは、プラグ要素（１６２）によりチューブ要素（１３２）を閉じた後に、支持要素（３０）を展開することにより、支持要素（１３０）から落とされる。図３３に示されるように（支持要素（１３０）に沿って伸びる実線により例示）、支持要素（１３０）は展開可能である；完成した接触デバイスをそこから取り出す（落とす）ことができる程度まで展開されてはならない。さらに図３３に例示されるように、支持要素（１３０）から、スイッチングデバイス（１７２）はパッケージング供給手段（１７４）へと通過し、したがって展開可能な支持要素（１３０）の適用の結果として、スイッチングデバイス（１７２）もまたパッケージングのために準備することができる。この工程は、したがって２つの結果をもたらし得る：１つは、許容可能な（非廃棄物の）１つのピース（次に、このピースはパッケージング供給手段（１７４）に渡される）、もう１つは、廃棄物が排出されること。